(57)【要約】      （修正有）【課題】商品流通過程における商品管理を可能にした商品包装箱を提供する。【解決手段】表側表面を印刷面としたシート素材を折曲することにより印刷面を外側として形成した包装箱であり、各包装箱を他の包装箱から識別する識別情報を機器で解読可能な図形表示Ｘとして印刷面に印刷表示して成る商品包装箱において、包装箱のシート素材には、重合状態で接着された固着部１３と、包装箱の内部に位置して固着部を破壊しなければ外部に露呈されない隠蔽部１４が設けられ、隠蔽部の表裏面のうち印刷面とされた表側表面に位置して、識別情報が目視により読取り可能とする記号表示Ｙとして印刷表示されている。【選択図】図４
0003203910.tif 000002
【実用新案登録請求の範囲】
【請求項１】
表側表面を印刷面としたシート素材を折曲することにより前記印刷面を外側として形成された包装箱であり、各包装箱を他の包装箱から識別する識別情報を機器で解読可能な図形表示(X)として前記印刷面(P)に印刷表示して成る商品包装箱において、
前記包装箱のシート素材は、重合状態で接着された固着部(13)と、該包装箱の内部に位置して前記固着部を破壊しなければ外部に露呈されない隠蔽部(14)を設けており、
前記シート素材の隠蔽部(14)の表裏面のうち前記印刷面(P)とされた表側表面に位置して、前記識別情報を目視により読取り可能とする記号表示(Y)として印刷表示して成ることを特徴とする商品包装箱。
【請求項２】
前記包装箱のシート素材は、該包装箱の隣接する壁部(5)(4)の間において、一方の壁部(5)から他方の壁部(4)に向けて糊代片(6)を延設し、該糊代片の表裏面のうち前記印刷面(P)とされた表側表面を重合面として他方の壁部の内側に重ね、前記重合面に前記固着部(13)と隠蔽部(14)を形成し、前記固着部(13)を他方の壁部(4)に接着すると共に、前記隠蔽部(14)に前記記号表示(Y)を印刷表示して成ることを特徴とする請求項１に記載の商品包装箱。
【請求項３】
前記包装箱のシート素材は、該包装箱の開口部に臨んで、該開口部に進入する折曲片(7)と、該折曲片の上から開口部を閉鎖する蓋部(9)を備えており、該蓋部から折曲して延長された舌片(11)を開口部に挿入固定するように構成され、
前記シート素材の舌片(11)の表裏面のうち前記印刷面(P)とされた表側表面により前記固着部(13)を形成すると共に前記開口部の内部で包装箱の壁部(5)の内面に接着し、
前記シート素材の折曲片(7)の表裏面のうち前記印刷面(P)とされた表側表面に前記隠蔽部(14)を形成すると共に、該隠蔽部に前記記号表示(Y)を印刷表示して成る
ことを特徴とする請求項２に記載の商品包装箱。
【考案の詳細な説明】
【技術分野】
【０００１】
本考案は、商品包装箱、特に、商品流通過程における商品の個別管理を可能にする商品包装箱に関する。
【背景技術】
【０００２】
従来、化粧品や医薬品等の商品は、商品包装箱に収納された状態で、流通経路を経て、消費者に供給される。この際、包装箱は、個々の包装箱を他の包装箱から識別するための識別情報が表示されており、このような情報は、機器により解読可能とする図形表示として包装箱の表面に印刷表示されている。図形表示としては、ＱＲコード（登録商標）や、データマトリックスコード等が公知である。
【０００３】
前記図形表示に含まれる識別情報は、量産される商品包装箱に付されるシリアルナンバーとして認識可能であり、包装箱を形成するためのシート素材の表面に意匠図柄等の印刷を施す際に、その後にトムソン等で打ち抜き形成される箱単位のシート素材に対応して、順次連続的に印刷され、箱単位のシート素材を折曲することにより包装箱が形成される。
【０００４】
そこで、前記図形表示による識別情報が付された包装箱は、商品を収納した後、一連の包装箱が数個単位で大箱に収容され、出荷される。尚、大箱にも、収容物の情報を表示した図形表示が印刷表示されている。
【０００５】
このため、商品は、出荷前に、前記図形表示をリーダ機器で読み取ることにより、商品供給者（例えば商品のメーカー）により、商品毎の品番や消費期限等の商品情報と、納品先や納品個数等の出荷情報が管理される。そして、その後の流通過程においても、代理店等の流通業者が同様に前記図形表示をリーダ機器で読み取ることが可能であり、これにより、商品の流通状況の管理が可能とされる。
【先行技術文献】
【特許文献】
【０００６】
【特許文献１】特開２０１２−１６６８３７号公報
【考案の概要】
【考案が解決しようとする課題】
【０００７】
ところが、商品の流通過程において、流通業者の一部により、正規の流通路から外れた流通路に向けて商品が不正に流された場合、その商品包装箱に前記図形表示が表示されているときは、不正流通の経路を調査確認することが可能であるが、悪質な業者が前記図形表示を削除しているときは、調査不能となる。
【０００８】
このような不正流通は、現に、近年、インターネットウエブサイトで格安に販売されている商品に散見され、遺憾ながら、これらの不正流通商品は、包装箱に表示されていた図形表示が削除されているのが現状である。
【０００９】
しかしながら、このような事態は、不正流通業者の法的責任はもとより、化粧品や医薬品のような消費期限付き等の商品に関して、メーカーや正規流通業者の管理責任に及ぶおそれがあり、社会的にも放置できないという問題がある。
【課題を解決するための手段】
【００１０】
本考案は、上記問題を解決した商品包装箱を提供するものであり、その手段として構成したところは、表側表面を印刷面としたシート素材を折曲することにより前記印刷面を外側として形成された包装箱であり、各包装箱を他の包装箱から識別する識別情報を機器で解読可能な図形表示として前記印刷面に印刷表示して成る商品包装箱において、前記包装箱のシート素材は、重合状態で接着された固着部と、該包装箱の内部に位置して前記固着部を破壊しなければ外部に露呈されない隠蔽部を設けており、前記シート素材の隠蔽部の表裏面のうち前記印刷面とされた表側表面に位置して、前記識別情報を目視により読取り可能とする記号表示として印刷表示して成る点にある。
【００１１】
本発明の好ましい実施形態において、前記包装箱のシート素材は、該包装箱の隣接する壁部の間において、一方の壁部から他方の壁部に向けて糊代片を延設し、該糊代片の表裏面のうち前記印刷面とされた表側表面を重合面として他方の壁部の内側に重ね、前記重合面に前記固着部と隠蔽部を形成し、前記固着部を他方の壁部に接着すると共に、前記隠蔽部に前記記号表示を印刷表示している。
【００１２】
本発明の別の好ましい実施形態において、前記包装箱のシート素材は、該包装箱の開口部に臨んで、該開口部に進入する折曲片と、該折曲片の上から開口部を閉鎖する蓋部を備えており、該蓋部から折曲して延長された舌片を開口部に挿入固定するように構成され、前記シート素材の舌片の表裏面のうち前記印刷面とされた表側表面により前記固着部を形成すると共に前記開口部の内部で包装箱の壁部内面に接着し、前記シート素材の折曲片の表裏面のうち前記印刷面とされた表側表面に前記隠蔽部を形成すると共に該隠蔽部に前記記号表示を印刷表示している。
【考案の効果】
【００１３】
本考案によれば、商品の包装箱１は、各包装箱を他の包装箱から識別する識別情報を機器で解読可能な図形表示Ｘとして外側に印刷表示しているので、図形表示Ｘをリーダ機器で読み取ることにより、出荷状況や、流通状況の管理に資することができる。そして、流通過程において商品の不正流通が判明したときは、不正流通業者により図形表示Ｘが削除されている場合でも、包装箱１の固着部１３を破壊して隠蔽部１４を露呈させることにより、記号表示Ｙを読取ることができるので、不正流通の原因を調査することが可能である。
【００１４】
この際、記号表示Ｙは、リーダ機器を必要とせず、目視だけで識別情報を読取ることが可能であるから、直ちに調査を開始し、早期に原因を究明することができる。
【００１５】
そして、図形表示Ｘと記号表示Ｙは、包装箱１の製造工程において、打ち抜き前の連続帯状とされたシート素材１ａに対して印刷機により意匠図柄等を印刷する工程とほぼ同時に印刷することができる利点があり、しかも、図形表示Ｘと記号表示Ｙを近接した位置に表示することにより、それぞれの表示を印刷するための２機の印刷ヘッダーを並設した状態で、１つのプログラムでコンピュータ制御することによりシリアルナンバーとしての識別情報を同期させながら図形表示Ｘと記号表示Ｙを印刷させることが可能になる。
【図面の簡単な説明】
【００１６】
【図１】本考案の第１実施形態に係る包装箱を形成する前のシート素材を表側から示す斜視図である。
【図２】図１のシート素材を裏側から示す斜視図である。
【図３】図１及び図２のシート素材により包装箱を形成する方法を示す斜視図である。
【図４】第１実施形態に係る包装箱を示しており、（Ａ）は商品包装状態を示す斜視図、（Ｂ）は図形表示が削除された状態で記号表示を露出させた状態を拡大して示す部分斜視図である。
【図５】本考案の第２実施形態に係る包装箱を形成する前のシート素材を表側から示す斜視図である。
【図６】図５のシート素材により包装箱を形成する方法を示す斜視図である。
【図７】第２実施形態に係る包装箱を示しており、（Ａ）は商品包装状態を示す斜視図、（Ｂ）は図形表示が削除された状態で記号表示を露出させた状態を拡大して示す部分斜視図である。
【考案を実施するための形態】
【００１７】
以下図面に基づいて本考案の好ましい実施形態を詳述する。
【００１８】
［第１実施形態］
図１ないし図４は、本考案に係る商品包装箱の第１実施形態を示しており、図１及び図２に示すような箱単位のシート素材１ａを図３に示すように折曲することにより、図４に示すような包装箱１が形成される。
【００１９】
シート素材１ａは、紙製とされ、図１及び図２に示すように、正面壁部２の両側に折曲線ａ、ｂを介して左右両側壁部３、４を連設し、一方の側壁部３から折曲線ｃを介して背面壁部５を連設すると共に、更に、背面壁部５から折曲線ｄを介して糊代片６を延設している。
【００２０】
前記両側壁部３、４は、それぞれ上下に折曲線ｅ、ｆを介して上側折曲片７と下側折曲片８を連設している。前記正面壁２は、上下に折曲線ｇ、ｈを介して上側蓋部９と下側蓋部１０を連設しており、上下の蓋部９、１０から折曲線ｉ、ｊを介して舌片１１、１２を延設している。
【００２１】
このようなシート素材１ａは、連続帯状の紙製シートをトムソン等で打ち抜くことにより形成されるが、打ち抜きに先立ち、表側表面を印刷面Ｐとして、意匠図柄等の印刷が施されている。図１は、シート素材１ａの印刷面Ｐを有する表側表面Ｆを示し、図２は、シート素材１ａの印刷が施されない裏側表面Ｂを示している。
【００２２】
そこで、図例の場合、前記印刷面Ｐを有する表側表面Ｆに位置して、前記舌片１１、１２並びに糊代片６には、接着剤Ｑが設けられており、図３に示すように、各折曲線を折曲することにより、左右側壁部３、４を対向させると共に、正面壁部２と背面壁部５を対向させ、糊代片６を隣接する側壁部４の裏側面に重ね合わせて接着することにより、角筒体を形成し、更に、該角筒体の上下開口部にそれぞれ折曲片７、８を進入させると共に、該折曲片の上から上下開口部を上側蓋部９と下側蓋部１０により閉鎖することにより、図４（Ａ）に示すような包装箱１が提供される。
【００２３】
包装箱１は、商品を収納した後、前記蓋部９、１０の舌片１１を開口部に挿入させ、背面壁部５の裏側面に接着することにより、封緘される。しかしながら、下側蓋部１０には、舌片１１や接着剤Ｑを設けていなくても良く、該下側蓋部１０を折曲片８に対してスリットを介して結合するように構成しても良い。
【００２４】
包装箱１が形成される前のシート素材１ａは、前記意匠図柄等を印刷する際に、前記印刷面Ｐに位置して、各包装箱１を他の包装箱から識別する識別情報をリーダ機器で解読可能とする図形表示Ｘと、前記識別表示を目視により読取り可能とする記号表示Ｙが印刷されている。
【００２５】
前記図形表示Ｘは、ＱＲコード（登録商標）や、データマトリックスコード等の図形パターンにより構成され、これを目視しただけでは識別情報を読取ることができないが、リーダ機器等の光学機器により識別情報を包装箱のシリアルナンバーとしてデジタル的に読取ることが可能とされている。これに対して、前記記号表示Ｙは、英文字や数字の文字等の記号により構成され、これを目視するだけで、識別情報を包装箱のシリアルナンバーとしてアナログ的に読取ることが可能とされている。
【００２６】
このような図形表示Ｘと記号表示Ｙは、打ち抜き前に移送中の連続帯状とされたシート素材１ａに対して、印刷機で印刷面Ｐに意匠図柄等を印刷する工程とほぼ同時に印刷することが望ましく、このため、シリアルナンバーとしての識別情報を順に印刷する２機の印刷ヘッダーを並設し、一方の印刷ヘッダーにより図形表示Ｘを印刷し、他方の印刷ヘッダーにより記号表示Ｙを印刷する構成とすることが好ましい。
【００２７】
この際、２機の印刷ヘッダーにより印刷される図形表示Ｘと記号表示Ｙの間において、もしも、シリアルナンバーが前後にずれる場合は、識別情報として意味がなくなるので、これを防止するため、２機の印刷ヘッダーを可及的近接して配置し、１つのプログラムでコンピュータ制御することが好ましい。
【００２８】
このため、第１実施形態の包装箱１は、図形表示Ｘを背面壁部５の表側表面（つまり印刷面Ｐ）で折曲線ｄに近傍する位置に印刷表示し、記号表示Ｙを糊代片６の表側表面で折曲線ｄに近傍する位置に印刷表示している。
【００２９】
図形表示Ｘは、商品を収納した包装箱１の外側からリーダ機器で読取り可能であるが、これに対して、記号表示Ｙは、包装箱１を破損させなければ視認できないように隠蔽することが必要である。
【００３０】
第１実施形態の場合、図１に示すように、糊代片６は、接着剤Ｑを有する固着部１３と、接着剤を有しない隠蔽部１４を構成しており、該隠蔽部１４に記号表示Ｙを印刷表示している。
【００３１】
シート素材１ａを図３に示すように折曲すると共に接着剤Ｑを接着することにより包装箱１を形成した状態で、接着剤Ｑを有する固着部１３は、側壁部４の裏側面に重ね合わせて接着され、記号表示Ｙを有する隠蔽部１４は、側壁部４の裏側に重ね合わせられ、記号表示Ｙを隠蔽している。従って、記号表示Ｙは、固着部１３の接着剤Ｑを剥離する等、固着部１３を破壊しなければ、外部に露呈されないように構成されている。
【００３２】
上記構成によれば、商品を収納した包装箱１は、出荷前に、前記図形表示Ｘをリーダ機器で読み取ることにより、商品毎の品番や消費期限等の商品情報と、納品先や納品個数等の出荷情報が管理される。そして、その後の流通過程においても、代理店等の流通業者が同様に前記図形表示をリーダ機器で読み取ることにより、商品の流通状況が管理される。
【００３３】
そして、流通過程において商品の横流し等の不正流通が判明し、図４（Ｂ）に示すように、不正流通商品の包装箱１から図形表示Ｘが削除されている場合は、固着部１３を破壊することにより隠蔽部１４を露呈させ、記号表示Ｙを目視することにより、不正流通の原因調査を行うことができる。
【００３４】
この際、記号表示Ｙは、リーダ機器を必要とせず、目視だけで識別情報を読取ることが可能であるから、直ちに調査を開始し、早期に原因を究明することができる。
【００３５】
ところで、仮に、不正流通業者が包装箱１に記号表示Ｙが含まれていることを知得した場合、図形表示Ｘとあわせて記号表示Ｙを削除することも想定されるが、その場合、固着部１３が破壊され、包装箱自体が毀損した状態とされるので、格安であっても再販売することは困難であり、重大な問題を提起しない。
【００３６】
［第２実施形態］
図５ないし図７は、本考案に係る商品包装箱の第２実施形態を示しており、図５に示すような箱単位のシート素材１ａを図６に示すように折曲することにより、図７に示すような包装箱１が形成される。
【００３７】
第２実施形態の包装箱１は、固着部１３及び隠蔽部１４と、図形表示Ｘ及び記号表示Ｙの印刷位置が相違する他は、上述した第１実施形態と同様であるから、同一構成部分は同一符号で示し、上述の説明を援用する。
【００３８】
第２実施形態の包装箱１は、シート素材１ａの表側表面（つまり印刷面Ｐ）において、側壁部４の上側の折曲線ｅに近傍する位置に図形表示Ｘを印刷表示し、該側壁部４の上側の折曲片７の折曲線ｅに近傍する位置に記号表示Ｙを印刷表示している。
【００３９】
シート素材１ａを折曲すると共に接着剤Ｑを接着することにより包装箱１を形成し、該包装箱１に商品を収納した後は、上側の開口部に一対の折曲片７、７が進入させられ、折曲片７の上から蓋部９が開口部を閉鎖し、該蓋部９の舌片１１が開口部に挿入されると共に、接着剤Ｑにより背面壁部５の裏側に接着される。
【００４０】
従って、接着剤Ｑを有する舌片１１を備えた蓋部９により固着部１３が形成され、該固着部１３を破壊しなければ外部に露呈されない折曲片７により隠蔽部１４が形成され、該隠蔽部１４に記号表示Ｙが印刷表示されている。
【００４１】
第２実施形態においても、商品を収納した包装箱１は、前記図形表示Ｘをリーダ機器で読み取ることにより、出荷状況や、流通状況が管理される。そして、流通過程における不正流通が判明し、図７（Ｂ）に示すように、不正流通商品の包装箱１から図形表示Ｘが削除されている場合は、固着部１３を破壊することにより隠蔽部１４を露呈させ、記号表示Ｙを目視することにより、不正流通の原因調査を直ちに開始することが可能となる。
【符号の説明】
【００４２】
１  包装箱
１ａ  シート素材
２  正面壁部
３、４  側壁部
５  背面壁部
６  糊代片
７、８  折曲片
９、１０  蓋部
１１、１２  舌片
１３  固着部
１４  隠蔽部
Ｆ  表側表面
Ｂ  裏側表面
Ｐ  印刷面
Ｘ  図形表示
Ｙ  記号表示
【図１】
0003203910.tif 000003
【図２】
0003203910.tif 000004
【図３】
0003203910.tif 000005
【図４】
0003203910.tif 000006
【図５】
0003203910.tif 000007
【図６】
0003203910.tif 000008
【図７】
0003203910.tif 000009